(57)【要約】【課題】簡単な構成で高い安全性を得ることができ、かつ、簡便に持ち運び及び設置ができる警報装置１０を提供する。【解決手段】警報装置１０は、警報発生器１１と、バッテリー１２と、警報発生器１１を無線により遠隔操作する複数の遠隔操作器１３と、アンテナ１４と、アンテナ１４をロードコーン２０に対して配設する伸縮ポール１５と、制御部１６とを備えている。これらは、蓋付収納ケース１７に収納されて一体として持ち運び可能とされている。【選択図】図１
2014149757.tif 000002
【特許請求の範囲】
【請求項１】
道路工事をする作業員に危険を知らせる警報装置であって、
警報を発する警報発生器と、
この警報発生器を動作させるためのバッテリーと、
前記警報発生器を複数人でそれぞれ無線により遠隔操作することが可能な複数の遠隔操作器と、
この遠隔操作器からの信号を受信するアンテナと、
このアンテナが一端側に取り付けられると共に、他端側にロードコーンに対して配設するための配設部が設けられた伸縮可能な伸縮ポールと、
前記バッテリーに接続されると共に、前記警報発生器及び前記アンテナが接続され、前記警報発生器の動作を制御する制御部と、
前記警報発生器、前記バッテリー、前記遠隔操作器、前記アンテナ、前記伸縮ポール、及び、前記制御部を収納し、一体として持ち運び可能とする蓋付収納ケースと
を備えたことを特徴とする警報装置。
【請求項２】
前記蓋付収納ケースを覆うことが可能であると共に、前記蓋付収納ケースを覆わない時は前記蓋付収納ケースに収納可能とされた防水性のカバーを備えたことを特徴とする請求項１記載の警報装置。
【請求項３】
前記警報発生器は、ロードコーンに対して取り付け可能とされていることを特徴とする請求項１又は請求項２記載の警報装置。
【発明の詳細な説明】
【技術分野】
【０００１】
本発明は、道路工事をする作業員に危険を知らせる警報装置に関する。
【背景技術】
【０００２】
道路で工事を行う場合、工事区間の手前に、減速と記載した旗を持った監視員を配置し、工事区間に向かって走行してくる車両に対して車線規制を行ったり、車線変更の誘導等を行うことがある。しかし、このように監視員を配置しても、前方不注意等により、誤って工事区間に車両が進入してしまう危険性がある。そこで、従来は、例えば、監視員が警報発生器付きハンディ拡声器を肩にかけて持ち、警報発生器にコードで接続されたスイッチを旗に取り付けて、工事区間に車両が誤って進入した場合に、警報発生器を鳴らして、前方で作業する作業員に危険を知らせるようにしていた。
【０００３】
しかしながら、警報発生器付きハンディ拡声器を持った状態での監視作業は、監視員の肩や首に負担がかかり、大変であるという問題があった。また、警報発生器とスイッチとがコードで接続されていたので、動きが制限され、監視作業に支障が生じてしまう場合があるという問題もあった。更に、監視員は、工事現場から５ｍから１００ｍ程度離れた位置に立っているので、監視員の位置で警報を鳴らしても、工事音や走行車両の騒音でかき消され、作業員に直ちに危険が伝わりにくいという問題もあった。
【０００４】
また、道路工事において作業員に危険を知らせるシステムとしては、例えば、道路上にマーカー送信装置を配置し、マーカー送信装置の異常検出部が車両の異常走行を検出すると、受信装置に検出信号を送信し、受信装置が警報を発する車両の異常走行通報システムが提案されている（特許文献１参照）。しかし、特許文献１に記載の車両の異常走行通報システムでは、車両の異常走行を検出する異常検出部を多数設置しなければならないので、異常検出部の持ち運び及び設置に手間がかかり面倒であるという問題があった。また、受信装置の各部品がばらばらであり、取り扱いが面倒であるという問題もあった。更に、異常検出部の誤動作を防止するための機構も必要であり、構造が複雑となってしまうという問題もあった。
【先行技術文献】
【特許文献】
【０００５】
【特許文献１】特開２００６−２４３８５５号公報
【発明の概要】
【発明が解決しようとする課題】
【０００６】
本発明は、このような問題に基づきなされたものであり、簡単な構成で高い安全性を得ることができ、かつ、簡便に持ち運び及び設置ができる警報装置を提供することを目的とする。
【課題を解決するための手段】
【０００７】
本発明の警報装置は、道路工事をする作業員に危険を知らせるものであって、警報を発する警報発生器と、この警報発生器を動作させるためのバッテリーと、警報発生器を複数人でそれぞれ無線により遠隔操作することが可能な複数の遠隔操作器と、この遠隔操作器からの信号を受信するアンテナと、このアンテナが一端側に取り付けられると共に、他端側にロードコーンに対して配設するための配設部が設けられた伸縮可能な伸縮ポールと、バッテリーに接続されると共に、警報発生器及びアンテナが接続され、警報発生器の動作を制御する制御部と、警報発生器、バッテリー、遠隔操作器、アンテナ、伸縮ポール、及び、制御部を収納し、一体として持ち運び可能とする蓋付収納ケースとを備えたものである。
【発明の効果】
【０００８】
本発明の警報装置によれば、警報発生器を遠隔操作器により複数人でそれぞれ遠隔操作することができるようにしたので、警報発生器を作業員の近くに配置して、作業員に警報が伝わりやすくすることができると共に、複数人により道路の状況を監視して、作業員に危険を伝えることができる。よって、簡単な構成で高い安全性を得ることができる。また、警報発生器、バッテリー、遠隔操作器、アンテナ、伸縮ポール、及び、制御部を蓋付収納ケースに収納して、一体として持ち運ぶことができるようにしたので、工事現場に簡単に持ち運んで設置することができる。よって、迅速に工事を開始することができる。更に、アンテナと伸縮ポールとを別体とし、伸縮ポールを伸縮可能としたので、蓋付収納ケースに容易に収納することができる。加えて、アンテナが一端側に取り付けられると共に、他端側にロードコーンに対して配設するための配設部が設けられた伸縮ポールを備えるようにしたので、工事現場において容易に入手可能なロードコーンを利用して、簡単にアンテナを設置することができる。
【０００９】
更にまた、蓋付収納ケースを覆うことが可能な防水性のカバーを備えるようにすれば、雨天の工事においても、バッテリー及び制御部を蓋付収納ケースに収納して、カバーで覆うことにより、雨にぬれることを防止し、安全に動作を確保することができる。
【００１０】
加えてまた、警報発生器をロードコーンに対して取り付け可能とするようにすれば、アンテナを設置したロードコーンに取り付けることにより、アンテナと警報発生器をまとめて取り扱うことができ、取り扱いを容易とすることができる。
【図面の簡単な説明】
【００１１】
【図１】本発明の一実施の形態に係る警報装置の構成を表す図である。
【図２】図１に示した警報装置の使用状態を表す図である。
【発明を実施するための形態】
【００１２】
以下、本発明の実施の形態について図面を参照して詳細に説明する。
【００１３】
図１は、本発明の一実施の形態に係る警報装置１０の構成を表すものであり、（Ａ）は横から見た断面構造、（Ｂ）は上から見た断面構造を表している。図２は、図１に示した警報装置１０の使用状態を表すものである。警報装置１０は、道路工事をする作業員に危険を知らせるものであり、警報を発する警報発生器１１と、警報発生器１１を動作させるためのバッテリー１２とを備えている。
【００１４】
警報発生器１１は、例えば、警報音により作業員に危険を知らせるものである。警報音は、例えば、１２５ｄＢ程度の大きさであることが好ましく、また、音程が変わる間隔が短いビブラートで鳴り続けるものが好ましい。工事現場において聞こえやすく、作業員が素早く危険を察知することができるからである。また、警報発生器１１は、例えば、ロードコーン２０に対して取り付け可能とされている。例えば、警報発生器１１の裏面にリング状の固定具１１Ａを設け、ロードコーン２０に固定具１１Ａを上部からはめ込んで取り付けるように構成されている。このように構成すれば、工事現場において容易に入手可能なロードコーン２０を用いて、警報発生器１１を容易に設置することができるので好ましい。
【００１５】
警報装置１０は、また、警報発生器１１を無線により遠隔操作することが可能な遠隔操作器１３と、遠隔操作器からの信号を受信するアンテナ１４と、アンテナ１４を取り付ける伸縮ポール１５と、警報発生器１１の動作を制御する制御部１６とを備えている。
【００１６】
遠隔操作器１３は複数個設けられており、それぞれ独立して複数人により警報発生器１１を遠隔操作することができるように設定されている。複数人により道路の状況を監視して、作業の安全性を高めると共に、機械による誤動作を防止するためである。また、無線による遠隔操作とすることにより、警報発生器１１を作業員の近くに設置可能とし、作業員に警報が伝わりやすくすることができるようになっている。遠隔操作器１３は、例えば、スイッチ１３Ａを押すたびにオンとオフの信号が交互に送信されるように設定されている。すなわち、スイッチ１３Ａを押すたびに警報の発生と停止が交互に繰り返されるように設定されている。簡単な操作とすることにより、誤操作を防止し、確実に警報を発生させ、危険な状態が解除されるまで確実に警報音を鳴らし続けるためである。
【００１７】
伸縮ポール１５は、伸縮可能であり、一端側にアンテナ１４が取り付け可能とされると共に、他端側にロードコーン２０に対して配設するための配設部１５Ａが設けられている。これにより、工事現場において容易に入手可能なロードコーン２０を利用して、簡単にアンテナ１４を設置することができるようになっている。配設部１５Ａは、例えば、筒状構造の差込部１５Ｂと、差込部１５Ｂの伸縮ポール１５の側に設けられた鍔状部１５Ｃとを有している。鍔状部１５Ｃの直径は差込部１５Ｂよりも大きく、鍔状部１５Ｃが差込部１５Ｂよりも外側に突出した傘状構造となっている。差込部１５Ｂの外径は、例えば、ロードコーン２０の上に設けられている穴２１の内径よりも小さく構成され、鍔状部１５Ｃの直径は、例えば、ロードコーン２０の上部に設けられている穴２１の内径よりも大きく構成されている。これにより、差込部１５Ｂをロードコーン２０の上部の穴２１に差し込み、鍔状部１５Ｃをロードコーン２０の上部に係止させて、伸縮ポール１５をロードコーン２０に配設することができるようになっている。
【００１８】
制御部１６は、バッテリー１２に接続されると共に、警報発生器１１及びアンテナ１４が接続可能とされている。警報発生器１１及びアンテナ１４と制御部１６とは、有線により接続することが好ましい。無線で接続する場合には、送信機・受信機等が必要となるのに対して、有線の場合は、設備が簡単で部品点数も少なく全体の構成をコンパクトとすることができるからである。制御部１６には、また、バッテリーメータ１６Ａ、電源スイッチ１６Ｂ、及び、電源ランプ１６Ｃ等が設けられている。
【００１９】
警報装置１０は、更に、これら警報発生器１１、バッテリー１２、遠隔操作器１３、アンテナ１４、伸縮ポール１５、及び、制御部１６を収納し、これらを一体として持ち運び可能とする蓋付収納ケース１７を備えている。工事現場に簡単に持ち運んで設置することができるようにするためである。蓋付収納ケース１７は、例えば、内部に収納空間が設けられ、上方が開口されたケース本体１７Ａと、ケース本体１７Ａの開口を覆う蓋１７Ｂとを有している。蓋付収納ケース１７は、例えば、直方体状であり、角が丸められていてもよい。蓋１７Ｂの上方には、例えば、持ち手１７Ｃが設けられている。
【００２０】
ケース本体１７Ａの内部は、例えば、複数に区切られた収納部を設け、警報発生器１１、バッテリー１２、遠隔操作器１３、アンテナ１４、伸縮ポール１５、及び、制御部１６等を整理して収納することができるようにしてもよい。バッテリー１２及び制御部１６は、例えば、蓋付収納ケース１７に収納した状態で使用可能とされており、警報発生器１１、遠隔操作器１３、アンテナ１４、及び、伸縮ポール１５は、蓋付収納ケース１７から取り出して使用するように構成されている。収納に際しては、アンテナ１４と伸縮ポール１５とを別体とし、伸縮ポール１５を伸縮可能とすることにより、容易に収納することができるようになっている。
【００２１】
警報装置１０は、更にまた、蓋付収納ケース１７を覆うことが可能な防水性のカバー１８を備えていることが好ましい。雨天の工事においても、バッテリー１２及び制御部１６を蓋付収納ケース１７に収納して、カバー１８で覆うことにより、雨にぬれることを防止することができるからである。また、カバー１８は、蓋付収納ケース１７を覆わない時は、蓋付収納ケース１７に収納可能とされることが好ましい。一体として持ち運びできるからである。なお、図１（Ａ）では、カバー１８を蓋付収納ケース１７から取り出して、蓋付収納ケース１７を覆った状態を表しており、図１（Ｂ）ではカバー１８の記載を省略している。
【００２２】
この警報装置１０は、例えば、次のようにして用いられる。まず、警報発生器１１、バッテリー１２、遠隔操作器１３、アンテナ１４、伸縮ポール１５、及び、制御部１６等を蓋付収納ケース１７に収納して工事現場まで持ち運ぶ。工事現場では、蓋付収納ケース１７から警報発生器１１を取り出し、例えば、ロードコーン２０に取り付けると共に、必要に応じて、制御部１６に接続する。また、蓋付収納ケース１７からアンテナ１４と伸縮ポール１５を取り出し、伸縮ポール１５の配設部１５Ａをロードコーン２０に配設し、必要に応じて伸縮ポール１５を伸長させて、伸縮ポール１５の一端側にアンテナ１４を取り付けると共に、必要に応じて、アンテナ１４を制御部１６に接続する。警報発生器１１とアンテナ１４は、異なるロードコーン２０に対して配設してもよいが、同一のロードコーン２０に対して配設することが好ましい。取り扱いが容易となるからである。
【００２３】
更に、蓋付収納ケース１７から複数の遠隔操作器１３を取り出し、複数の監視員等により所持する。次いで、雨天の場合等には、蓋付収納ケース１７からカバー１８を取り出し、蓋付収納ケース１７を覆う。警報発生器１１及びアンテナ１４等は、作業員の近くに配置し、遠隔操作器１３は作業員から離れた位置で複数の監視員等が所持する。このように、この警報装置１０によれば、簡単に工事現場に持ち運び、簡単に設置することができる。
【００２４】
工事中においては、監視員等が危険を認識した場合、危険を認識した監視員等は、遠隔操作器１３のスイッチ１３Ａを押し、警報発生器１１を動作させて、警報を発生させる。警報発生器１１は作業員の近くで警報を発するので、作業員は直ちに危険を察知し、非難することができる。また、危険な状態がなくなったら、監視員等は、遠隔操作器１３のスイッチ１３Ａを押し、警報発生器１１を動作させて、警報を停止させる。工事が終了したら、警報発生器１１、遠隔操作器１３、アンテナ１４、伸縮ポール１５、及び、カバー１８を蓋付収納ケース１７に収納し、持ち帰る。
【００２５】
このように本実施の形態によれば、警報発生器１１を遠隔操作器１３により複数人でそれぞれ遠隔操作することができるようにしたので、警報発生器１１を作業員の近くに配置して、作業員に警報が伝わりやすくすることができると共に、複数人により道路の状況を監視して、作業員に危険を伝えることができる。よって、簡単な構成で高い安全性を得ることができる。また、警報発生器１１、バッテリー１２、遠隔操作器１３、アンテナ１４、伸縮ポール１５、及び、制御部１６を蓋付収納ケース１７に収納して、一体として持ち運ぶことができるようにしたので、工事現場に簡単に持ち運んで設置することができる。よって、迅速に工事を開始することができる。更に、アンテナ１４と伸縮ポール１５とを別体とし、伸縮ポール１５を伸縮可能としたので、蓋付収納ケース１７に容易に収納することができる。加えて、アンテナ１４が一端側に取り付けられると共に、他端側にロードコーン２０に対して配設するための配設部１５Ａが設けられた伸縮ポール１５を備えるようにしたので、工事現場において容易に入手可能なロードコーン２０を利用して、簡単にアンテナ１４を設置することができる。
【００２６】
更にまた、蓋付収納ケース１７を覆うことが可能な防水性のカバー１８を備えるようにすれば、雨天の工事においても、バッテリー１２及び制御部１６を蓋付収納ケース１７に収納して、カバー１８で覆うことにより、雨にぬれることを防止し、安全に動作を確保することができる。
【００２７】
加えてまた、警報発生器１１をロードコーン２０に対して取り付け可能とするようにすれば、アンテナ１４を設置したロードコーン２０に取り付けることにより、アンテナ１４と警報発生器１１をまとめて取り扱うことができ、取り扱いを容易とすることができる。
【００２８】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２９】
道路工事の際に用いることができる。
【符号の説明】
【００３０】
１０…警報装置、１１…警報発生器、１１Ａ…固定具、１２…バッテリー、１３…遠隔操作器、１３Ａ…スイッチ、１４…アンテナ、１５…伸縮ポール、１５Ａ…配設部、１５Ｂ…差込部、１５Ｃ…鍔状部、１６…制御部、１６Ａ…バッテリーメータ、１６Ｂ…電源スイッチ、１６Ｃ…電源ランプ、１７…蓋付収納ケース、１７Ａ…ケース本体、１７Ｂ…蓋、１７Ｃ…持ち手、１８…カバー、２０…ロードコーン、２１…穴
【図１】
2014149757.tif 000003
【図２】
2014149757.tif 000004